(57)【特許請求の範囲】
【請求項１】
天部と、円筒部と、該円筒部の筒内周に設けた螺子部と、該円筒部の下端部にリング状にハーフカット線を介して連接した前記円筒部と同じ直径を有し且つリング母線方向に切欠部又はハーフカット部を有する薄板状のリング状バンド部と、前記円筒部と該リング状バンド部との連接部分に沿って設けられた易破断可能なハーフカット部若しくは部分繋ぎ部と、前記リング状バンド部のリング内周下端にヒンジを介して該リング状バンド部のリング内方中心に向かって略水平方向に延設した複数枚の係止板とを備えたキャップ部と、円筒部と、該円筒部の筒内を封鎖する閉鎖板と、該閉鎖板にリング状のハーフカット部を介して設けた開封用のプルリング部と、前記円筒部の下端外周に前記係止板が乗り越えて嵌入するリング状凸部とを備え、前記キャップ部の螺着にて施蓋される注出口部とからなる不正開封防止機能付きプラスチック口栓において、前記注出口部の円筒部の下端外周に断続的に設けられ且つ前記各々係止板を間に１枚ずつ嵌入して、開栓時に螺旋状に回転するキャップ部に対してその下端のリング状バンド部を非回転とする複数の凸部を備え、前記キャップ部内の天部の下面に下向きに、前記注出口部の円筒部の上端部の内周に密に嵌合可能なリング状インナーシール部が設けられ、該円筒部の上端部の上方には、前記キャップ部と注出口部との再施蓋における前記上端部が嵌入可能な施蓋密封性を補強するための空間部が設けられていることを特徴とする不正開封防止機能付きプラスチック口栓。
【請求項２】
天部と、円筒部と、該円筒部の筒内周に設けた螺子部と、該円筒部の下端部にリング状にハーフカット線を介して連接した前記円筒部と同じ直径を有し且つリング母線方向に切欠部又はハーフカット部を有する薄板状のリング状バンド部と、前記円筒部と該リング状バンド部との連接部分に沿って設けられた易破断可能なハーフカット部若しくは部分繋ぎ部と、前記リング状バンド部のリング内周下端にヒンジを介して該リング状バンド部のリング内方中心に向かって略水平方向に延設した複数枚の係止板とを備えたキャップ部と、円筒部と、該円筒部の筒内を封鎖する閉鎖板と、該閉鎖板にリング状のハーフカット部を介して設けた開封用のプルリング部と、前記円筒部の下端外周に前記係止板が乗り越えて嵌入するリング状凸部とを備え、前記キャップ部の螺着にて施蓋される注出口部とからなる不正開封防止機能付きプラスチック口栓において、前記注出口部の円筒部の下端外周に断続的に設けられ且つ前記各々係止板を間に１枚ずつ嵌入して、開栓時に螺旋状に回転するキャップ部下端のリング状バンド部を非回転とする複数の凸部を備え、前記キャップ部内の天部の下面に下向きに、前記注出口部の円筒部の上端部の内周に密に嵌合可能なリング状インナーシール部が設けられ、該円筒部の上端部の上方には、前記キャップ部と注出
口部との再施蓋における前記上端部が嵌入可能な施蓋密封性を補強するための空間部が設けられ、前記リング状インナーシール部は、再施蓋以前の初期施蓋状態の螺着にて、前記円筒部の上端部の内周に密に嵌合することを特徴とする不正開封防止機能付きプラスチック口栓。
【請求項３】
天部と、円筒部と、該円筒部の筒内周に設けた螺子部と、該円筒部の下端部にリング状にハーフカット線を介して連接した前記円筒部と同じ直径を有し且つリング母線方向に切欠部又はハーフカット部を有する薄板状のリング状バンド部と、前記円筒部と該リング状バンド部との連接部分に沿って設けられた易破断可能なハーフカット部若しくは部分繋ぎ部と、前記リング状バンド部のリング内周下端にヒンジを介して該リング状バンド部のリング内方中心に向かって略水平方向に延設した複数枚の係止板とを備えたキャップ部と、円筒部と、該円筒部の筒内を封鎖する閉鎖板と、該閉鎖板にリング状のハーフカット部を介して設けた開封用のプルリング部と、前記円筒部の下端外周に前記係止板が乗り越えて嵌入するリング状凸部とを備え、前記キャップ部の螺着にて施蓋される注出口部とからなる不正開封防止機能付きプラスチック口栓において、前記注出口部の円筒部の下端外周に断続的に設けられ且つ前記各々係止板を間に１枚ずつ嵌入して、開栓時に螺旋状に回転するキャップ部下端のリング状バンド部を非回転とする複数の凸部を備え、前記キャップ部内の天部の下面に下向きに、前記注出口部の円筒部の上端部の内周に密に嵌合可能なリング状インナーシール部が設けられ、該円筒部の上端部の上方には、前記キャップ部と注出口部との再施蓋における前記上端部が嵌入可能な施蓋密封性を補強するための空間部が設けられ、前記リング状インナーシール部は、再施蓋以前の初期施蓋状態の螺着にて、前記円筒部の上端部の内周に嵌合せず、再施蓋時の施蓋状態の螺着にて、前記円筒部の上端部の内周に密に嵌合することを特徴とする不正開封防止機能付きプラスチック口栓。
【発明の詳細な説明】
【技術分野】
【０００１】
本発明は、ガラス瓶やプラスチックボトルなどの容器の注出口部を施蓋するプラスチック口栓に関し、容器内の内容物を不正開封から保護するための不正開封防止機能付きプラスチック口栓に関する。
【背景技術】
【０００２】
一般に不正開封防止機能付きプラスチック口栓は、キャップＡと、該キャップＡによって施蓋封止される開封用のプルリングを備えたプルオープンタイプのプルリング付きの容器注出口部、又はプルリングの無い容器注出口部からなり、キャップと容器注出口部とは互いに所定の開封防止構造を備え、キャップを注出口部に螺着して閉栓封止することができ、キャップを開栓した際には、再度、元の閉栓状態の形状に復元できない構造になっていて、容器の未開栓性（バージン性）を付与するために使用されている。
【０００３】
例えば、図５（ａ）〜（ｃ）の側面図に示すように、不正開封防止機能付きプラスチック口栓のキャップＡとしては、天部１と、円周面に母線方向にローレット２ｂを刻設した円筒部２と、該円筒部２の筒内周に設けた螺子部（図示せず）と、該円筒部２の下端部に必要に応じて設けたハーフカット線３を介してリング状に連接した薄板状のリング状バンド部４と、該リング状バンド部４の母線方向の一部に設けたリング状バンド部４を容易に破断するための易破断部として切欠部６とを備え、該バンド部４のリング内周下端に沿うヒンジ線を介して、リング中心内方に向かって略水平方向から起立方向に折り曲げ可能に延設した複数枚の係止板（図示せず）を備えた各種形態の不正開封防止機能付きプラスチックキャップＡがある。
【０００４】
ところで、上記のような不正開封防止機能付きプラスチックキャップＡは、キャップ円筒部２の螺子部をプラスチックボトルなどの容器の注出口部の外周に設けた螺子部に螺着しながら、リング状バンド部４を該注出口部の外周にリング状に設けた凸部に嵌入して取り付けられるものであるが、その際に、バンド部４の下端内周に延設した複数枚の水平方向の係止板は、容器の注出口部の外周にリング状に設けた凸部を乗り越えて嵌入して起立方向に折り曲げられ、その係止板の先端部は注出口部の外周凸部の下部に係合して、キャップＡは、容器注出口部から外れないように係止閉栓されて取り付けられるようになっている。
【０００５】
そして、容器注出口部に螺着したキャップＡの円筒部２を開封方向に回転させると、円筒部２とリング状バンド部４は共に、容器注出口部の上端方向に徐々に旋回移動し、容器の注出口部外周の凸部下部に係合している該バンド部の係止板には、バンド部の直径を拡張する水平姿勢方向への応力が掛かり、バンド部４の切欠部６にも拡張による張力が掛かり、やがて、バンド部４は切欠部６から破断して、不正開封が検知できるものである。
【０００６】
図５（ａ）に示すキャップＡは、リング状バンド部４に繋ぎ部６ａのある切欠部６が設けられ、また、図５（ｂ）に示すキャップＡは、リング状バンド部４の母線方向の一部に縦方向のいずれにも繋ぎ部６ａのないハーフカット形式による切欠部６が設けられ、図５（ｃ）に示すキャップＡは、リング状バンド部４の上部に繋ぎ部６ａのある切欠部６が設けられている。
【０００７】
上記のようなキャップＡによって施蓋封止される容器注出口部Ｂには、一般に、図６（ａ）〜（ｂ）に示すような開封用のプルリング２５を備えたプルオープンタイプのプラスチック製のプルリング付き注出口部Ｂと、プルリング２５の無い注出口部（図示せず）と
があり、プルリング付きの注出口部Ｂは、容器の密封性や未開封性（バージン性）を付与するために使用される。
【０００８】
図６（ａ）の側断面図及び図６（ｂ）の平面図に示すように、一般のプルオープンタイプのプルリング付き注出口部Ｂは、例えば角筒状の液体紙容器３０（液体包装用紙パック）の上部に取り付けられ、円筒部２１と、該円筒部２１の筒内を封鎖する閉鎖板２２と、該閉鎖板２２にリング状のハーフカット部２３を介して設けた開封用のプルリング部２５とを備えたものであり、前記プルリング部２５はリング状のハーフカット部２３領域内に立設した支柱２４に取り付けられている。なお、注出口部Ｂの円筒部２１の下端部外周には、容器３０に孔設した取付用孔部３１に整合して取り付けるためのフランジ部２６が設けられている。
【０００９】
そして、上記プルオープンタイプのプルリング付きの注出口部Ｂを開封する際は、図６（ａ）に示すプルリング２５のリング内に指を挿入して、図６（ａ）〜（ｂ）に示すようにリング状のハーフカット部２３の形成方向に沿う実線矢印Ｉの方向に、プルリング２５及び支柱２４を引っ張り上げることによって、支柱４の近傍のハーフカット部２３から支柱４と接続する閉鎖板２２が切れ始め、続いて、点線矢印Ｉａに示すようにハーフカット部２３に沿ってカット部２３全体が切断されて閉鎖板２２は切り離されて、容器３０が開封する。
【００１０】
上記の不正開封防止機能付きプラスチック口栓のキャップＡに関する技術としては、例えば、実公昭４６−２４１４９号公報、実公昭４６−２４１５１号公報、ＵＳＰ．Ｎｏ．４５５０８４４号公報、特開平８−４８３５０号公報、特開平８−９１４０１号公報、特開平１０−２１８２１１号公報などがある。
【００１１】
また、上記プルオープンタイプのプルリング付き注出口部Ｂに関する技術としては、例えば、特開平６−２４４５９号公報、実開平５−７２７５５号などがある。
【００１２】
以下に、公知の特許文献を記載する。
【特許文献１】特開平６−２４４５９号公報
【特許文献２】実開平５−７２７５５号
【特許文献３】実公昭４６−２４１４９号公報
【特許文献４】実公昭４６−２４１５１号公報
【特許文献５】ＵＳＰ．Ｎｏ．４５５０８４４号公報
【特許文献６】特開平８−４８３５０号公報
【特許文献７】特開平８−９１４０１号公報
【特許文献８】特開平１０−２１８２１１号公報
【発明の開示】
【発明が解決しようとする課題】
【００１３】
本発明の課題は、上記キャップＡと、プルオープンタイプのプルリング付きの注出口部Ｂとにより施蓋閉栓される不正開封防止機能付きプラスチック口栓において、容器注出口
部Ｂに螺着して施蓋閉栓したキャップＡの円筒部２のみを開封方向に回転させて、円筒部２とリング状バンド部４とをハーフカット部３を介して切り離し、またリング状バンド部４を切欠部６（又は繋ぎ部６ａ）を介して破断して該リング状バンド部４を容器注出口部Ｂから取り除いて開栓した後における再度のキャップＡとプルリング付きの注出口部Ｂとによる施蓋状態の密封性を高めるとともに、開栓された後の口栓における注出口部Ｂのプルリングによる開封後における再度のキャップＡとプルリング付きの注出口部Ｂとによる施蓋状態の密封性を高めることにある。
【課題を解決するための手段】
【００１４】
本発明の請求項１に係る発明は、天部と、円筒部と、該円筒部の筒内周に設けた螺子部と、該円筒部の下端部にリング状にハーフカット線を介して連接した前記円筒部と同じ直径を有し且つリング母線方向に切欠部又はハーフカット部を有する薄板状のリング状バンド部と、前記円筒部と該リング状バンド部との連接部分に沿って設けられた易破断可能なハーフカット部若しくは部分繋ぎ部と、前記リング状バンド部のリング内周下端にヒンジを介して該リング状バンド部のリング内方中心に向かって略水平方向に延設した複数枚の係止板とを備えたキャップ部と、円筒部と、該円筒部の筒内を封鎖する閉鎖板と、該閉鎖板にリング状のハーフカット部を介して設けた開封用のプルリング部と、前記円筒部の下端外周に前記係止板が乗り越えて嵌入するリング状凸部とを備え、前記キャップ部の螺着にて施蓋される注出口部とからなる不正開封防止機能付きプラスチック口栓において、前記注出口部の円筒部の下端外周に断続的に設けられ且つ前記各々係止板を間に１枚ずつ嵌入して、開栓時に螺旋状に回転するキャップ部に対してその下端のリング状バンド部を非回転とする複数の凸部を備え、前記キャップ部内の天部の下面に下向きに、前記注出口部の円筒部の上端部の内周に密に嵌合可能なリング状インナーシール部が設けられ、該円筒部の上端部の上方には、前記キャップ部と注出口部との再施蓋における前記上端部が嵌入可能な施蓋密封性を補強するための空間部が設けられていることを特徴とする不正開封防止機能付きプラスチック口栓である。
【００１５】
本発明の請求項２に係る発明は、天部と、円筒部と、該円筒部の筒内周に設けた螺子部と、該円筒部の下端部にリング状にハーフカット線を介して連接した前記円筒部と同じ直径を有し且つリング母線方向に切欠部又はハーフカット部を有する薄板状のリング状バンド部と、前記円筒部と該リング状バンド部との連接部分に沿って設けられた易破断可能なハーフカット部若しくは部分繋ぎ部と、前記リング状バンド部のリング内周下端にヒンジを介して該リング状バンド部のリング内方中心に向かって略水平方向に延設した複数枚の係止板とを備えたキャップ部と、円筒部と、該円筒部の筒内を封鎖する閉鎖板と、該閉鎖板にリング状のハーフカット部を介して設けた開封用のプルリング部と、前記円筒部の下端外周に前記係止板が乗り越えて嵌入するリング状凸部とを備え、前記キャップ部の螺着にて施蓋される注出口部とからなる不正開封防止機能付きプラスチック口栓において、前記注出口部の円筒部の下端外周に断続的に設けられ且つ前記各々係止板を間に１枚ずつ嵌入して、開栓時に螺旋状に回転するキャップ部下端のリング状バンド部を非回転とする複数の凸部を備え、前記キャップ部内の天部の下面に下向きに、前記注出口部の円筒部の上端部の内周に密に嵌合可能なリング状インナーシール部が設けられ、該円筒部の上端部の上方には、前記キャップ部と注出口部との再施蓋における前記上端部が嵌入可能な施蓋密封性を補強するための空間部が設けられ、前記リング状インナーシール部は、再施蓋以前の初期施蓋状態の螺着にて、前記円筒部の上端部の内周に密に嵌合することを特徴とする不正開封防止機能付きプラスチック口栓である。
【００１６】
本発明の請求項３に係る発明は、天部と、円筒部と、該円筒部の筒内周に設けた螺子部と、該円筒部の下端部にリング状にハーフカット線を介して連接した前記円筒部と同じ直径を有し且つリング母線方向に切欠部又はハーフカット部を有する薄板状のリング状バンド部と、前記円筒部と該リング状バンド部との連接部分に沿って設けられた易破断可能なハーフカット部若しくは部分繋ぎ部と、前記リング状バンド部のリング内周下端にヒンジを介して該リング状バンド部のリング内方中心に向かって略水平方向に延設した複数枚の係止板とを備えたキャップ部と、円筒部と、該円筒部の筒内を封鎖する閉鎖板と、該閉鎖板にリング状のハーフカット部を介して設けた開封用のプルリング部と、前記円筒部の下端外周に前記係止板が乗り越えて嵌入するリング状凸部とを備え、前記キャップ部の螺着にて施蓋される注出口部とからなる不正開封防止機能付きプラスチック口栓において、前記注出口部の円筒部の下端外周に断続的に設けられ且つ前記各々係止板を間に１枚ずつ嵌入して、開栓時に螺旋状に回転するキャップ部下端のリング状バンド部を非回転とする複数の凸部を備え、前記キャップ部内の天部の下面に下向きに、前記注出口部の円筒部の上端部の内周に密に嵌合可能なリング状インナーシール部が設けられ、該円筒部の上端部の上方には、前記キャップ部と注出口部との再施蓋における前記上端部が嵌入可能な施蓋密封性を補強するための空間部が設けられ、前記リング状インナーシール部は、再施蓋以前の初期施蓋状態の螺着にて、前記円筒部の上端部の内周に嵌合せず、再施蓋時の施蓋状態の螺着にて、前記円筒部の上端部の内周に密に嵌合することを特徴とする不正開封防止機能付きプラスチック口栓である。
【発明の効果】
【００２１】
本発明の請求項１に係る不正開封防止機能付きプラスチック口栓は、図１、図２に示すように、キャップ部Ａには、円筒部２とリング状バンド部４との連接部分に沿って易破断可能なハーフカット部若しくは部分繋ぎ部３が設けられ、リング状バンド部４のリング内周下端にヒンジ５ａを介して該リング状バンド部４のリング内方中心に向かって略水平方向に延設した複数枚の係止板５が設けられ、キャップ部Ａの内部における天部１の下面に下向きに、注出口部Ｂの円筒部１３の上端部１３ｂの内周に密に嵌合するリング状インナーシール部１ａが設けられ、該円筒部１３の上端部１３ｂの上方には、前記キャップ部Ａと注出口部Ｂとの再施蓋時において、前記上端部１３ｂが嵌入可能な空間部１ｂが設けられており、また、前記キャップ部Ａの螺着にて施蓋される注出口部Ｂには、円筒部１３の筒内を封鎖する閉鎖板１６と、該閉鎖板１６にリング状のハーフカット部１６ａを介して設けた開封用のプルリング部１８と、前記円筒部１３の下端外周に前記係止板５が乗り越えて嵌入するリング状凸部１４と、前記円筒部１３の下端外周に断続的に設けられ且つ前記各々係止板５を間に１枚ずつ嵌入する複数の凸部１５とが設けられている。
【００２２】
そのために、容器注出口部Ｂに螺着して施蓋閉栓したキャップＡの円筒部２を開封方向に螺旋状に回転させると、リング状バンド部４は、その下端に設けた各々係止板５が複数の凸部１５の間に係止しているために回転せず、キャップＡの円筒部２はリング状バンド部４との連接部分に沿って易破断可能なハーフカット部若しくは部分繋ぎ部３によってリング状バンド部４から切り離され、リング状バンド部４は注出口部Ｂ側に残って、口栓が
開栓する。
【００２３】
そして、注出口部Ｂ側に残ったリング状バンド部４を切欠部６（又は繋ぎ部６ａ）を介して破断して除去した後において、キャップＡとプルリング付きの注出口部Ｂとによる再度の螺着施蓋時に、前記注出口部Ｂの円筒部１３の上端部１３ｂが空間部１ｂ内に嵌入するとともに、キャップＡのリング状インナーシール部１ａが、注出口部Ｂの円筒部１３上端部１３ｂの内周に密に嵌合するために、再度の螺着施蓋状態における密封性を高めることができる。
【発明を実施するための最良の形態】
【００３７】
本発明の請求項１に係る不正開封防止機能付きプラスチック口栓について、図１（ａ）に示す本発明の一形態を説明する側断面図、図１（ｂ）のＬ−Ｌ平面断面図に基づいて以下に詳細に説明する。
【００３８】
本発明の請求項１に係る不正開封防止機能付きプラスチック口栓は、図１（ａ）に示すように、キャップ部Ａと、該キャップ部Ａを螺着して施蓋される容器注出口部Ｂとからなる。
【００３９】
キャップ部Ａは、図１（ａ）に示すように、天部１と、円筒部２と、該円筒部２の筒内周に設けた螺子部２ａと、該円筒部２の下端部にリング状に連接した前記円筒部２と同じ直径を有し且つリング母線方向に切欠部６又はハーフカット部６ａを有する薄板状のリング状バンド部４と、前記円筒部２とリング状バンド部４との連接部分に沿って設けられた易破断可能なハーフカット部若しくは部分繋ぎ部３と、該リング状バンド部４のリング内周下端にヒンジ５ａを介して該リング状バンド部４のリング内方中心に向かって略水平方向に延設した複数枚の係止板５とを備えている。
【００４０】
複数枚の係止板５は、図１（ｂ）のＬ−Ｌ平面断面図に示すように、リング状バンド部４のリング内面側に、そのリング内周の下端縁に沿うヒンジ線５ａ（折り曲げ部）を介して折り曲げ可能にリング中心内方に向かって延設されている。
【００４１】
容器注出口部Ｂは、円筒部１３と、該円筒部１３の筒内を封鎖する閉鎖板１６と、該閉鎖板１６にリング状のハーフカット部１６ａを介して設けた開封用のプルリング部１８と、前記円筒部１３の下端外周に前記キャップ部Ａのリング状バンド部４内面の係止板５が乗り越えて嵌入するリング状凸部１４と、該円筒部１３の下端外周に断続的に設けられ且つ前記係止板５を嵌入する複数の凸部１５とを備え、互いに隣接する凸部１５、１５の間の溝部の部位に各々係止板５が嵌合して、キャップＡのリング状バンド部４が容器注出口部Ｂに対して回転しないように係合している。なお、円筒部１３の最下端の外周には、必要に応じて、容器への取付用フランジ板１９を設けることができる。
【００４２】
そして、図１（ａ）に示す前記キャップＡを、注出口部Ｂに対して閉栓方向に回転螺着することにより、キャップＡ及びリング状バンド部４のリング内面側に設けた複数枚の係止板５は、注出口部Ｂに沿って下方に移動するとともに、各々係止板５の先端部５ｂは、略水平方向（図１（ｂ）参照）又はリング内方に向かって僅かに高く傾斜する方向）から、注出口部Ｂの下端部にあるリング状凸部１４を乗り越えて起立する方向（図１（ａ）参照）にヒンジ線５ａを介して折り曲げられ、係止板５の先端部５ｂは凸部１４下端に嵌入して、その凸部１４下端の注出口部Ｂの垂直内壁面に密接するとともに、その係止板５は凸部１５、１５の間の溝部の部位に嵌入することにより、キャップＡ及びそのリング状バンド部４は、注出口部Ｂに対して容易に離脱は不能であって、且つ回転不能に取り付けられる。
【００４３】
前記プルリング部１８は、リング状のハーフカット部１６ａのリング領域内におけるハーフカット部１６ａのハーフカッティングラインの近傍に立設した支柱１７の上端部に一体に設けられている。
【００４４】
前記キャップ部Ａには、そのキャップ部Ａ内の天部１の下面に下向きに、前記注出口部Ｂの円筒部１３の上端部１３ｂの内周に密に嵌合するリング状インナーシール部１ａが設けられている。
【００４５】
また、前記キャップ部Ａ内には、螺着された注出口部Ｂの円筒部１３上端部１３ｂの上方に相当する部位に、前記上端部１３ｂが嵌入可能であって、キャップ部Ａと、リング状バンド部４を除去した後の注出口部Ｂとを、再度、螺着して施蓋した際における施蓋密封性を補強するための密封補強用の空間部１ｂが設けられている。
【００４６】
本発明の不正開封防止機能付きプラスチック口栓は、図２（ａ）に示す開栓前の口栓の状態を示す側断面図に示すように、容器注出口部Ｂに螺着して施蓋閉栓したキャップＡの円筒部２を開封方向に螺旋状に回転させると、リング状バンド部４は、その下端に設けた各々係止板５が複数の凸部１５の間に係止しているために回転せず、キャップＡの円筒部２は、リング状バンド部４との連接部分に沿って易破断可能なハーフカット部若しくは部
分繋ぎ部３によって、リング状バンド部４から切り離されて、リング状バンド部４が注出口部Ｂ側に残った状態で口栓が開栓する。
【００４７】
そして、注出口部Ｂ側に残ったリング状バンド部４を切欠部６（又は繋ぎ部６ａ）を介して破断して、注出口部Ｂから取り除いた後においては、図２（ｂ）に示す開栓後の口栓の状態を示す側断面図に示すように、該キャップＡの円筒部２の閉封方向への螺旋状の回転によるキャップＡとプルリング付きの注出口部Ｂとによる再度の螺着施蓋によって、注出口部Ｂの円筒部１３の上端部１３ｂが空間部１ｂ内に嵌入するとともに、キャップＡのリング状インナーシール部１ａが、注出口部Ｂの円筒部１３上端部１３ｂの内周に密に嵌合する。そのために、再度の螺着施蓋状態における注出口部Ｂを備えた容器の密封性を高めることができる。
【００４８】
また、本発明の不正開封防止機能付きプラスチック口栓の注出口部Ｂは、図１（ａ）及び図２（ａ）に示すようにプルオープンタイプのプルリング付き注出口部であるため、図２（ｂ）に示すように、リング状バンド部４を取り除いて口栓を開栓し、該口栓のキャップＡを開封方向に螺旋状に回転して注出口部Ｂから取り外した後に、プルリング１８のリング内に指を挿入して、前述の図６（ａ）に示すような矢印方向にプルリング１８及び支柱１７を引っ張り上げることによって、支柱１７の近傍のハーフカット部１６ａから支柱１７と接続する閉鎖板１６が切れ始め、続いて、同図６（ｂ）に示すようなリング状のハーフカット部１６ａの形成方向に沿う矢印Ｉａ方向に該ハーフカット部１６ａに沿ってカット部１６ａ全体が切断されて、閉鎖板１６は切り離されて注出口部Ｂ（又は該注出口部Ｂを備えた容器３０）が開封する。
【００４９】
そして、このように注出口部Ｂを開封した後において、キャップＡの閉封方向への螺旋状の回転によるキャップＡとプルリング付きの注出口部Ｂとによる再度の螺着施蓋によって、注出口部Ｂの円筒部１３の上端部１３ｂが空間部１ｂ内に嵌入するとともに、キャップＡのリング状インナーシール部１ａが、注出口部Ｂの円筒部１３上端部１３ｂの内周に密に嵌合するために、再度の螺着施蓋状態における開封された注出口部Ｂを備えた容器の密封性を高めることができる。
【００５０】
本発明の上記請求項１又は２に係る不正開封防止機能付きプラスチック口栓においては図１（ａ）及び図２（ａ）に示すように、前記キャップ部Ａ内の天部１の下面に下向きに設けられた前記注出口部Ｂの円筒部１３の上端部１３ｂの内周に密に嵌合可能なリング状インナーシール部１ａは、再施蓋以前の初期施蓋状態の螺着においては、前記円筒部１３の上端部１３ｂの内周に密に嵌合（密接）している。
【００５１】
本発明の上記請求項３に係る不正開封防止機能付きプラスチック口栓においては、キャップＡの開封方向への回転トルクを低減させるために、図３（ａ）及び図４（ａ）に示すように、前記キャップ部Ａ内の天部１の下面に下向きに設けられた前記注出口部Ｂの円筒部１３の上端部１３ｂの内周に密に嵌合可能なリング状インナーシール部１ａは、再施蓋以前の初期施蓋状態の螺着においては、前記円筒部１３の上端部１３ｂの内周には嵌合しておらず、リング状インナーシール部１ａの外周と上端部１３ｂの内周とは互いに接触せずに離反していて嵌合せず密接していない状態、又は嵌合しているが密接していない状態であり、再施蓋時の施蓋状態の螺着において、前記円筒部１３の上端部１３ｂの内周に嵌合して密接するようにする。
【００５２】
図５（ａ）〜（ｃ）は、本発明の不正開封防止機能付きプラスチック口栓における各種の形状のキャップ部Ａの概要側面図である。
【００５３】
図５（ａ）に示すキャップＡは、天部１と、円周面に母線方向にローレット２ｂを刻設
した円筒部２と、リング状バンド部４と、円筒部２とリング状バンド部４との間に容易に切り離し可能な部分繋ぎ部又はハーフカット部３と、リング状バンド部４の下部に容易に切り離し可能な繋ぎ部６ａのある切欠部６（易切離部）とが設けられ、円筒部２の径に対してリング状バンド部４の径は大径となっている。
【００５４】
また、図５（ｂ）に示すキャップＡは、天部１と、円周面に母線方向にローレット２ｂを刻設した円筒部２と、リング状バンド部４と、円筒部２とリング状バンド部４との間に容易に切り離し可能な部分繋ぎ部又はハーフカット部３と、リング状バンド部４に円周面に母線方向に容易に切り離し可能なハーフカット部６（易切離部）とが設けられ、円筒部２の径に対してリング状バンド部４の径は略同径となっている。
【００５５】
また、図５（ｃ）に示すキャップＡは、天部１と、円周面に母線方向にローレット２ｂを刻設した円筒部２と、リング状バンド部４と、円筒部２とリング状バンド部４との間に容易に切り離し可能な部分繋ぎ部又はハーフカット部３と、リング状バンド部４の上部に繋ぎ部６ａのある円周面に母線方向に容易に切り離し可能な切欠部６（易切離部）とが設けられ、円筒部２の径に対してリング状バンド部４の径は略同径となっている。
【図面の簡単な説明】
【００５６】
【図１】本発明の不正開封防止機能付きプラスチックキャップの一例を示す側面図。
【図２】（ａ）は本発明の不正開封防止機能付きプラスチックキャップの一例における開栓前の状態、（ｂ）はそのプラスチックキャップの開栓後の状態を示す側断面図。
【図３】本発明の不正開封防止機能付きプラスチックキャップの他の例を示す側面図。
【図４】（ａ）は本発明の不正開封防止機能付きプラスチックキャップの他の例における開栓前の状態、（ｂ）はそのプラスチックキャップの開栓後の状態を示す側断面図。
【図５】（ａ）〜（ｂ）は一般的な不正開封防止機能付きプラスチックキャップを説明する側面図。
【図６】（ａ）は一般的なプルオープンタイプのプルリング付きの不正開封防止機能付きプラスチックキャップの側断面図、（ｂ）はその上面図。
【符号の説明】
【００５７】
Ａ…キャップ部  Ｂ…注出口部
１…天部  ２…円筒部  ２ａ…螺子部  ３…ハーフカット線  ４…リング状バンド部
５…係止板  ５ａ…ヒンジ線  ５ｂ…係止板先端部  ６…切欠部  ６ａ…繋ぎ部
１３…注出口部  １３ａ…螺子部  １３ｂ…先端部  １４…リング状凸部  １５…凸部
１６…閉鎖板  １６ａ…ハーフカット部  １７…支柱  １８…プルリング
１９…フランジ板
２１…円筒部  ２２…閉鎖板  ２３…ハーフカット部  ２４…支柱  ２５…プルリング
２６…フランジ板
３０…容器  ３１…取付用嵌合溝部
【図１】
0004608951.tif 000002
【図２】
0004608951.tif 000003
【図３】
0004608951.tif 000004
【図４】
0004608951.tif 000005
【図５】
0004608951.tif 000006
【図６】
0004608951.tif 000007